(57)【要約】【課題】各子装置で発生した監視・警報情報を親装置に通知する監視・警報情報通知装置及び方法に関し、通知フレームのフレーム長を抑制し、親装置及びネットワークへの負荷を軽減する。【解決手段】子装置１−１０では、複数の発生ポイントの監視・警報情報が被収集部１−１１に収集され、該被収集部１−１１から監視・警報情報を収集部１−１２で収集し、解析部１−１３は、収集した監視・警報情報の発生量に応じて、通知フレームのフォーマットとして、監視・警報情報の発生量に比例してフレーム長が増減する第１のフォーマット又は監視・警報情報の発生量に依らずフレーム長が固定長の第２のフォーマットの何れのフォーマットにするかを決定する。編集部１−１５は、解析部１−１３で決定されたフォーマットの通知フレームに監視・警報情報を格納して通知フレームを作成し、該通知フレームを送信部１−１６により親装置１−２０に送信する。【選択図】図１
2007110181.tif 000002
【特許請求の範囲】
【請求項１】
監視・警報情報を発する複数の発生ポイントのうちの一又は二以上の発生ポイントから発せられた監視・警報情報を通知フレームに格納し、ネットワークを介した親装置へ通知する監視・警報情報通知装置において、
前記発生ポイントから発せられる監視・警報情報を収集する収集部と、
前記通知フレームのフォーマットとして、監視・警報情報の発生量に比例してフレーム長が増減する第１のフォーマット、又は監視・警報情報の発生量に依らずフレーム長が固定長の第２のフォーマット、の何れかのフォーマットにするかを、監視・警報情報の発生量に応じて決定する解析部と、
前記解析部で決定されたフォーマットの通知フレームに監視・警報情報を格納して通知フレームを作成する編集部と、
前記編集部で作成された通知フレームを前記親装置に対して送信する送信部と、
を備えたことを特徴とする監視・警報情報通知装置。
【請求項２】
前記解析部における第１のフォーマット又は第２のフォーマットの何れを選択するかを決定するための監視・警報情報の発生量の閾値を、監視・警報情報の最大発生量と発生ポイントを示すデータ長とから算出する閾値演算部を備えたことを特徴とする請求項１に記載の監視・警報情報通知装置。
【請求項３】
前記親装置からのパケットを受信する受信部を備え、前記解析部における第１のフォーマット又は第２のフォーマットの何れを選択するかを決定するための監視・警報情報の発生量の閾値を、親装置から受信したパケットにより指示される設定値に設定することを特徴とする請求項１に記載の監視・警報情報通知装置。
【請求項４】
前記通知フレームのフォーマットを、監視・警報情報の発生量に依って前記第１又は第２のフォーマットに切替えるフォーマット切替え動作モードと、監視・警報情報の発生量に依らず、一定のフォーマットの通知フレームで通知するフォーマット固定動作モードとを、前記親装置から受信したパケットの指示に従って設定することを特徴とする請求項１に記載の監視・警報情報通知装置。
【請求項５】
前記編集部は、前記第１のフォーマット又は第２のフォーマットの何れの種類のフォーマットであるかを示すフォーマット種別情報を前記通知フレーム内に格納した通知フレームを作成すること特徴とする請求項１に記載の監視・警報情報通知装置。
【請求項６】
子装置と親装置とがネットワークを介して接続され、子装置における複数の監視・警報情報の発生ポイントのうちの一又は二以上の発生ポイントから発せられた監視・警報情報を通知フレームに格納し、親装置へ通知する監視・警報情報通知方法において、
前記子装置で、前記発生ポイントから発せられる監視・警報情報を収集する第１のステップと、
前記通知フレームのフォーマットとして、監視・警報情報の発生量に比例してフレーム長が増減する第１のフォーマット、又は監視・警報情報の発生量に依らずフレーム長が固定長の第２のフォーマット、の何れかのフォーマットにするかを、監視・警報情報の発生量に応じて決定する第２のステップと、
前記第２のステップで決定されたフォーマットの通知フレームに監視・警報情報を格納して通知フレームを作成する第３のステップと、
前記第３のステップで作成された通知フレームを前記親装置に対して送信する第４のステップと、
を含むことを特徴とする監視・警報情報通知方法。
【請求項７】
前記第１のフォーマット又は第２のフォーマットの何れを選択するかを決定するための監視・警報情報の発生量の閾値を、監視・警報情報の最大発生量と発生ポイントを示すデータ長とから算出するステップを含むことを特徴とする請求項６に記載の監視・警報情報通知方法。
【請求項８】
前記親装置からのパケットを受信し、前記第１のフォーマット又は第２のフォーマットの何れを選択するかを決定するための監視・警報情報の発生量の閾値を、親装置から受信したパケットにより指示される設定値に設定することを特徴とする請求項６に記載の監視・警報情報通知方法。
【請求項９】
前記通知フレームのフォーマットを、監視・警報情報の発生量に依って前記第１又は第２のフォーマットに切替えるフォーマット切替動作モードと、監視・警報情報の発生量に依らず、一定のフォーマットの通知フレームで通知するフォーマット固定動作モードとを、前記親装置から受信したパケットの指示に従って設定することを特徴とする請求項６に記載の監視・警報情報通知方法。
【請求項１０】
前記子装置は、第１のフォーマット又は第２のフォーマットの何れの種類のフォーマットであるかを示すフォーマット種別情報を前記通知フレーム内に格納した通知フレームを送信し、前記親装置は、該通知フレームに格納されたフォーマット種別情報を基に、子装置から送信された通知フレームのフォーマットを識別することを特徴とする請求項６に記載の監視・警報情報通知方法。
【発明の詳細な説明】
【技術分野】
【０００１】
本発明は、監視・警報情報通知装置及び方法に関し、特に、複数のＡＴＭ（Asynchronous Transfer Mode）装置等により構成されるネットワークシステムにおける監視・警報情報通知装置及び方法に関する。
【背景技術】
【０００２】
図３に示すような複数の子装置３−１（１）〜（ｎ）と親装置３−２とがネットワーク３−３を介して接続されたネットワークシステムにおいて、親装置３−２に搭載される中央処理ユニット（ＣＰＵ）等の処理能力の向上に伴って、１台の親装置３−２に収集され監視される子装置３−１（１）〜（ｎ）の数は増加する傾向にある。
【０００３】
また、同時に各子装置３−１（１）〜（ｎ）が取り扱う監視・警報情報の数量も増大化しているため、複数の子装置３−１（１）〜（ｎ）で同時に監視・警報情報が多数発生した場合に、親装置３−２及びネットワーク全体が一時的に高負荷状態となり、その状態が継続するとネットワークシステム全体がダウンし、監視・警報が正常に行われない事態となる可能性がある。
【０００４】
一般に、子装置３−１（１）〜（ｎ）からの監視・警報情報を親装置３−２で収集する手法として、親装置３−２から各子装置３−１（１）〜（ｎ）に対して一定周期でポーリングを行うことにより、各子装置３−１（１）〜（ｎ）内で発生した監視・警報情報を親装置３−２で収集する。
【０００５】
各子装置３−１（１）〜（ｎ）からの監視・警報情報が多数発生した場合の高負荷に対する負荷軽減の手法としては、監視・警報情報が多数発生した子装置３−１（ｉ）（１≦ｉ≦ｎ）に対するポーリング間隔を、親装置３−２において自動的に短くする手法等がある。
【０００６】
各子装置３−１（１）〜（ｎ）から親装置３−２への監視・警報情報の通知フレームのフォーマットとして、以下の２種類のフォーマットがある。その第１のフォーマットは、監視・警報情報を発した発生ポイントを示す情報を結合して編成したフォーマットであり、このフォーマットでは、発生した監視・警報情報の発生ポイント数に比例してフレーム長が増減する。
【０００７】
例えば、監視・警報情報の全発生ポイント数が６５５３６個有り、各監視・警報情報の発生ポイントを示す番号が＃０〜＃６５５３５である場合、監視・警報情報が最大件数（６５５３６件）発生したとき、該監視・警報情報の通知フレームのフォーマットは、図４の（ａ）に示すように、ヘッダ、警報種別及び件数の情報の後部に、各監視・警報の発生ポイント番号を示す“００００”（＃０）〜“ｆｆｆｆ”（＃６５５３５）のデータを連結し、データ部分が１３１，０７２バイト（＝２バイト×６５，５３６）長のフレームとなる。
【０００８】
一方、監視・警報情報の発生件数が最少件数（１件）のみであり、その発生ポイント番号が例えば“００００”（＃０）であった場合、図４の（ｂ）に示すように、ヘッダ、警報種別及び件数の情報の後部に、監視・警報の発生ポイント番号を示す“００００”（＃０）のデータを含むフレームとなり、データ部分が２バイト（＝２バイト×１）長のフレームとなる。
【０００９】
監視・警報情報の通知フレームの第２のフォーマットは、監視・警報情報の全ての発生ポイントに対して、監視・警報の発生の有無を示す１ビットの領域を割り当て、該１ビットの領域が例えば“０”であれば発生無し、“１”であれば発生有りを示す情報として通知する形式である。このフォーマットでは、発生した監視・警報情報の発生量に依らず、フレーム長が常に固定長となる。そのため、監視・警報情報の発生量が最少のときでも、常に決まった量の負荷を発生することになる。
【００１０】
図５の（ａ）は、監視・警報情報の全発生ポイント数が６５５３６個で、監視・警報情報が最大件数（６５５３６件）発生したときの第２のフォーマットの通知フレームを示す。同図に示すように、各発生ポイント＃０〜＃６５５３５対応の各１ビット領域に“有”を示すビット例えば“１”が格納される。
【００１１】
また、図５の（ｂ）は、監視・警報情報が最少件数（１件）発生したときの第２のフォーマットの通知フレームを示す。同図に示すように、監視・警報情報の発生ポイント例えば＃０の１ビット領域に“有”を示す“１”が格納され、他の発生ポイントの１ビット領域には“無”を示す“０”が格納される。
【００１２】
前述の第１又は第２の何れのフォーマットであっても、親装置３−２に対する子装置３−１（１）〜（ｎ）の数が少数であれば、親装置３−２やネットワークに与える負荷の影響に大きな差は生じないが、多数（数百〜数千）の子装置３−１（１）〜（ｎ）で同時に監視・警報情報が発生すると、親装置３−２及びネットワークに与える負荷が大きくなり、フォーマットの違いによって受ける影響が大きく異なるものとなる。
【００１３】
本発明に関連する先行技術文献として、複数の交換機等の被監視装置を伝送路で接続したネットワークの被監視装置を監視装置で監視する監視システムにおいて、監視装置と被監視装置との間で送出する情報に識別情報格納部を設け、該識別情報格納部に情報のフォーマットを示すフォーマット識別子を設定して送信し、受信側は該識別情報格納部に設定されたフォーマット識別子を基に、受信情報の処理機能を選択する監視システムについて下記の特許文献に記載されている。
【特許文献１】特開２０００−１３８６７７号公報
【発明の開示】
【発明が解決しようとする課題】
【００１４】
各子装置３−１（１）〜（ｎ）から親装置３−２への監視・警報情報の通知フレームのフォーマットは、発生した監視・警報情報の発生量に関係なく、前述の第１又は第２の何れか一方に固定したフォーマットとした場合、以下のようなデメリットが生じる。
【００１５】
前述の第１のフォーマットの場合、発生した監視・警報情報の発生量に比例してフレーム長が長くなるため、監視・警報情報の発生量が大量になると、親装置及びネットワークに対して高負荷を与えることとなる。また、前述の第２のフォーマットの場合、発生した監視・警報情報の発生量に関係なくフレーム長が固定であるため、発生した監視・警報情報量が少量であっても負荷は減少せず、監視・警報情報量が少量のときは第１のフォーマットに比べて余分な負荷を発生することとなる。
【００１６】
本発明は、各子装置で発生した監視・警報情報を親装置に通知する通知フレームのフレーム長を抑制し、親装置及びネットワークへの負荷を軽減することができる監視・警報情報通知装置及び方法を提供することを目的とする。
【００１７】
また、通知フレームのフォーマットを自動的に切り換える監視・警報情報の発生量の閾値を自動的に演算し、子装置で取り扱う監視・警報情報の最大発生件数や発生ポイントを示すデータ長が変更になった場合でも、自動的に最適な閾値を決定することができる監視・警報情報通知装置及び方法を提供することを目的とする。
【課題を解決するための手段】
【００１８】
本発明の監視・警報情報通知装置は、（１）監視・警報情報を発する複数の発生ポイントのうちの一又は二以上の発生ポイントから発せられた監視・警報情報を通知フレームに格納し、ネットワークを介した親装置へ通知する監視・警報情報通知装置において、前記発生ポイントから発せられる監視・警報情報を収集する収集部と、前記通知フレームのフォーマットとして、監視・警報情報の発生量に比例してフレーム長が増減する第１のフォーマット、又は監視・警報情報の発生量に依らずフレーム長が固定長の第２のフォーマット、の何れかのフォーマットにするかを、監視・警報情報の発生量に応じて決定する解析部と、前記解析部で決定されたフォーマットの通知フレームに監視・警報情報を格納して通知フレームを作成する編集部と、前記編集部で作成された通知フレームを前記親装置に対して送信する送信部と、を備えたことを特徴とする。
【００１９】
また、（２）前記解析部における第１のフォーマット又は第２のフォーマットの何れを選択するかを決定するための監視・警報情報の発生量の閾値を、監視・警報情報の最大発生量と発生ポイントを示すデータ長とから算出する閾値演算部を備えたことを特徴とする。
【００２０】
また、（３）前記親装置からのパケットを受信する受信部を備え、前記解析部における第１のフォーマット又は第２のフォーマットの何れを選択するかを決定するための監視・警報情報の発生量の閾値を、親装置から受信したパケットにより指示される設定値に設定することを特徴とする。
【００２１】
また、（４）前記通知フレームのフォーマットを、監視・警報情報の発生量に依って前記第１又は第２のフォーマットに切替えるフォーマット切替え動作モードと、監視・警報情報の発生量に依らず、一定のフォーマットの通知フレームで通知するフォーマット固定動作モードとを、前記親装置から受信したパケットの指示に従って設定することを特徴とする。
【００２２】
また、（５）前記編集部は、前記第１のフォーマット又は第２のフォーマットの何れの種類のフォーマットであるかを示すフォーマット種別情報を前記通知フレーム内に格納した通知フレームを作成すること特徴とする。
【００２３】
また、本発明の監視・警報情報通知方法は、（６）子装置と親装置とがネットワークを介して接続され、子装置における複数の監視・警報情報の発生ポイントのうちの一又は二以上の発生ポイントから発せられた監視・警報情報を通知フレームに格納し、親装置へ通知する監視・警報情報通知方法において、前記子装置で、前記発生ポイントから発せられる監視・警報情報を収集する第１のステップと、前記通知フレームのフォーマットとして、監視・警報情報の発生量に比例してフレーム長が増減する第１のフォーマット、又は監視・警報情報の発生量に依らずフレーム長が固定長の第２のフォーマット、の何れかのフォーマットにするかを、監視・警報情報の発生量に応じて決定する第２のステップと、前記第２のステップで決定されたフォーマットの通知フレームに監視・警報情報を格納して通知フレームを作成する第３のステップと、前記第３のステップで作成された通知フレームを前記親装置に対して送信する第４のステップと、を含むことを特徴とする。
【００２４】
また、（７）前記第１のフォーマット又は第２のフォーマットの何れを選択するかを決定するための監視・警報情報の発生量の閾値を、監視・警報情報の最大発生量と発生ポイントを示すデータ長とから算出するステップを含むことを特徴とする。
【００２５】
また、（８）前記親装置からのパケットを受信し、前記第１のフォーマット又は第２のフォーマットの何れを選択するかを決定するための監視・警報情報の発生量の閾値を、親装置から受信したパケットにより指示される設定値に設定することを特徴とする。
【００２６】
また、（９）前記通知フレームのフォーマットを、監視・警報情報の発生量に依って前記第１又は第２のフォーマットに切替えるフォーマット切替え動作モードと、監視・警報情報の発生量に依らず、一定のフォーマットの通知フレームで通知するフォーマット固定動作モードとを、前記親装置から受信したパケットの指示に従って設定することを特徴とする。
【００２７】
また、（１０）前記子装置は、第１のフォーマット又は第２のフォーマットの何れの種類のフォーマットであるかを示すフォーマット種別情報を前記通知フレーム内に格納した通知フレームを送信し、前記親装置は、該通知フレームに格納されたフォーマット種別情報を基に、子装置から送信された通知フレームのフォーマットを識別することを特徴とする。
【発明の効果】
【００２８】
本発明によれば、各子装置で発生した監視・警報情報の発生量に応じて、通知フレームのフォーマットを選択し、監視・警報情報の発生量が大量のときは第２のフォーマット、少量のときは第１のフォーマットの通知フレームを編成して、監視・警報情報を親装置に通知することにより、通知フレームのフレーム長を抑制することができ、親装置及びネットワークに対する負荷を軽減することができる。
【００２９】
また、監視・警報情報の通知フレームのフォーマットを切替える監視・警報情報量の閾値を、第２のフォーマットの固定フレーム長（最大発生件数÷８ビット）と、第１のフォーマットの１発生ポイントを示すデータのデータ長とを基に、自動的に算定して決定することにより、監視・警報情報の最大発生件数や、第１のフォーマットの１発生ポイントを示すデータのデータ長が変更になった場合でも、保守者が介在することなく、閾値を変更することができる。
【００３０】
また、通知フレームのフォーマットを自動的に切替える監視・警報情報の発生量の閾値を、親装置から指示された閾値に設定にすることにより、親局装置における諸条件に適応的に応じたフォーマットで通知フレーム送信することが可能となる。
【００３１】
また、通知フレームのフォーマットを、監視・警報情報の発生量に依って自動的に切替えるモードと、監視・警報情報の発生量閾値に依らず、第１又は第２の一定のフォーマットで通知するモードとを設け、親装置の制御により何れかのモードに設定することにより、親装置の制御の下で親装置に対して最適なフォーマットで通知フレームを送信することができる。
【００３２】
また、通知フレーム内に、第１のフォーマット又は第２のフォーマットの何れの種類のフォーマットであるかを示すフォーマット種別情報を格納することにより、監視・警報情報を受信した親装置にて、通知フレームのフォーマットの種別を瞬時に判別することができる、通知フレーム受信時の親装置の負荷を軽減することができる。
【発明を実施するための最良の形態】
【００３３】
図１は本発明による監視・警報情報通知装置の構成を示す。同図において、１−１０は子装置、１−２０は親装置である。子装置１−１０内には、被収集部１−１１、収集部１−１２、解析部１−１３、閾値演算部１−１４、編集部１−１５、送信部１−１６、受信部１−１７及び保持部１−１８を備える。
【００３４】
被収集部１−１１は、監視・警報情報の発生ポイント毎のハードウェア構成の機能部でそれぞれ監視・警報情報を発生する。収集部１−１２は、各被収集部１−１１からの監視・警報情報を周期的に収集する。解析部１−１３は、収集した監視・警報情報を解析し、監視・警報情報の発生量に応じて、親装置１−２０への通知フレームのフォーマットを決定する。
【００３５】
閾値演算部１−１４は、解析部１−１３における通知フレームのフォーマットの決定に用いる監視・警報情報の発生量の閾値を演算する。編集部１−１５は、解析部１−１３から出力される情報を元に、監視・警報情報の通知フレームを編集する。
【００３６】
送信部１−１６は、親装置１−２０に対して通知フレームを送信する機能部である。受信部１−１７は、親装置１−２０からのパケットを受信する機能部である。保持部１−１８は、親装置１−２０から通知される動作モード及び閾値の設定情報を格納する機能部である。
【００３７】
前述の閾値演算部１−１４は、通知フレームのフォーマットを切替えるための監視・警報情報の発生量の閾値を、当該子装置１−１０における監視・警報情報の最大発生件数と１ポイントを示すデータのデータ長とを基に、自動的に演算して決定する。以下に、監視・警報情報の発生量の閾値を決定する手法について説明する。
【００３８】
通知フレームのフォーマットを切り換える監視・警報情報の発生量の閾値は、前述の第２のフォーマットによる固定フレーム長のデータ領域のバイト数（最大発生件数÷８ビット）と、前述の第１のフォーマットによる１ポイントを通知するためのデータのバイト数とによって、閾値演算部１−１４において決定する。
【００３９】
ここで、監視・警報情報の最大発生件数が６５５３６個、第１のフォーマットにおける１ポイントを示すデータのバイト数が２バイトであるとする。このような場合、フォーマットを切替える監視・警報情報の発生量の閾値は、
閾値＝６５５３６÷８÷２＝４０９６
として決定する。
【００４０】
そして、監視・警報情報の発生量（発生ポイント数）とこの閾値４０９６とを比較し、監視・警報情報の発生量が閾値４０９６以上であれば、前述の第２のフォーマットによるフレームを編集し、監視・警報情報の発生量が閾値４０９６以下であれば、前述の第１のフォーマットによるフレームを編集して監視・警報情報の通知を行う。
【００４１】
こうすることにより、前述の第２のフォーマットによるフレーム長（データ部分が８，１９２バイト）以下のフレーム長で、監視・警報情報を通知することができ、親装置及びネットワークのへ負荷を軽減することができる。
【００４２】
また、監視・警報情報の通知フレームに、フォーマットの種別を示すフォーマット種別情報を追加することにより、親装置１−２０は該フォーマット種別情報を基に、受信した通知フレームが第１のフォーマットによる通知フレームであるのか第２のフォーマットによる通知フレームであるのかを直ちに判定することができる。
【００４３】
図２に本発明による監視・警報情報の通知フレームのフォーマットを示す。同図に示すように、ヘッダ、警報種別、件数及びフォーマット種別の情報の後部に、第１又は第２のフォーマットによる発生ポイントを示すデータを付加する。
【００４４】
同図の上段に示すフォーマットは、監視・警報情報の発生件数が閾値の４０９６以下の場合のフォーマットであり、この場合の通知フレームのデータ部分のフレーム長は、８１９２バイト（＝２バイト×４０９６）以下である。
【００４５】
一方、同図の下段に示すフォーマットは、監視・警報情報の発生件数が閾値の４０９６以上の場合のフォーマットであり、この場合のフレームのデータ部分のフレーム長は、８１９２バイト（＝６５５３６÷８ビット）であり、これ以上フレーム長が長くなることはない。
【００４６】
ここで、以下の実施条件の場合における本発明による負荷軽減の具体例について説明する。
・１台の親装置（監視装置）が収容する子装置（被監視装置）数＝１，０００台
・各子装置（被監視装置）にて収集する監視・警報情報の最大数＝６５，５３６
・フォーマットの切替え閾値＝４，０９６
・第１のフォーマットにおける１発生ポイント示すデータのデータ長＝２バイト
【００４７】
各子装置で監視・警報情報が最大件数発生した場合、
・第１のフォーマットの場合：２バイト×６５，５３６＝１３１，０７２バイト
・第２のフォーマットの場合：６５，５３６÷８（ビット）＝８，１９２バイト
・本発明のフォーマットの場合：６５，５３６÷８（ビット）＝８，１９２バイト
となり、第１のフォーマットを固定的に用いた場合に比べて、８，１９２バイト÷１３１，０７２バイト＝１／１６（６．２５％）の負荷に軽減される。
【００４８】
更に、親装置で収容する全子装置で同時に監視・警報情報が発生した場合、
・第１のフォーマットの場合：２バイト×６５，５３６×１，０００＝１３１，０７２，０００バイト
・第２のフォーマットの場合：６５，５３６÷８（ビット）×１，０００＝８，１９２，０００ｂバイト
・本発明のフォーマットの場合：６５，５３６÷８（ビット）×１，０００＝８１９２，０００バイト
となり、第１のフォーマットを固定的に用いた場合、約１３１メガバイト以上の高負荷の通知フレームとなるが、本発明によるフォーマットでは、約８メガバイト程度の負荷に軽減される。
【００４９】
また、各子装置で監視・警報情報が最少件数（１発生ポイント）発生した場合、
・第１のフォーマットの場合：２バイト×１＝２バイト
・第２のフォーマットの場合：６５，５３６÷８（ビット）＝８，１９２バイト
・本発明のフォーマットの場合：２バイト×１＝２バイト
となり、第２のフォーマットを固定的に用いた場合に比べて、２バイト÷８，１９２バイト＝１／４０９６（０．０２％）の負荷に軽減される。
【００５０】
更に、親装置で収容する全子装置で同時に監視・警報情報が発生した場合、
・第１のフォーマットの場合：２バイト×１×１，０００＝２，０００バイト
・第２のフォーマットの場合：６５，５３６÷８（ビット）×１，０００＝８，１９２，０００バイト
・本発明のフォーマットの場合：２バイト×１×１，０００＝２，０００バイト
となり、第２のフォーマットを固定的に用いた場合、約８メガバイト以上の通知フレームの負荷となるが、本発明によるフォーマットでは、約２キロバイト程度の負荷に大幅に軽減される。
【００５１】
なお、上述のように、通知フレームのフォーマットを自動的に切替える監視・警報情報の発生量の閾値を、子装置１−１０の閾値演算部１−１４で決定する構成に代えて、該閾値を親装置１−２０から指示された閾値に設定にする構成とすることができる。こうすることにより、子装置１−１０は、親装置１−２０の制御管理の下に通知フレームのフォーマットを切り替えることとなり、親装置１−２０では各子装置１−１０に対して通知フレームのフォーマットを、親装置１−２０における諸条件に応じて適応的に制御することが可能となる。
【００５２】
また、監視・警報情報の通知フレームのフォーマットを、監視・警報情報の発生量に依って自動的に切替えるフォーマット切替え動作モードと、監視・警報情報の発生量閾値に依らず、第１又は第２の一定のフォーマットで通知するフォーマット固定モードとを設け、親装置１−２０の制御により何れかのモードに設定する構成とすることができる。こうすることにより、親装置１−２０の制御の下で、親装置１−２０に対して最適なフォーマットで通知フレームを送信することができる。
【図面の簡単な説明】
【００５３】
【図１】本発明の監視・警報情報通知装置の構成を示す図である。
【図２】本発明による通知フレームのフォーマットを示す図である。
【図３】監視・警報情報を通知するネットワークシステムを示す図である。
【図４】通知フレームの第１のフォーマットを示す図である。
【図５】通知フレームの第２のフォーマットを示す図である。
【符号の説明】
【００５４】
１−１０  子装置
１−１１  被収集部
１−１２  収集部
１−１３  解析部
１−１４  閾値演算部
１−１５  編集部
１−１６  送信部
１−１７  受信部
１−１８  保持部
１−２０  親装置
【図１】
2007110181.tif 000003
【図２】
2007110181.tif 000004
【図３】
2007110181.tif 000005
【図４】
2007110181.tif 000006
【図５】
2007110181.tif 000007